Podtech/llm-jp-corpus-v4-ja_patent huggingface dataset:
【手続補正書】
【提出日】平成19年4月13日(2007.4.13)
【手続補正１】
【補正対象書類名】特許請求の範囲
【補正対象項目名】請求項１８
【補正方法】変更
【補正の内容】
【請求項１８】
平坦な所定の対象物を撮像して又は光学的に読み取って得られた画像データを処理する画像処理方法であって、
所定の画像処理装置が、上記対象物を当該対象物の大きさ以下の大きさからなる分割領域に分割して撮像して又は光学的に読み取って得られた複数の分割画像データのそれぞれに写りこんだ位置合わせマークを検出する工程と、
上記画像処理装置が、上記複数の分割画像データのそれぞれから所定の領域を切り出し、切り出した複数の画像データを検出した位置合わせマークに基づいて整形し、整形して得られた複数の分割整形画像データを合成して１つの全体画像データを生成する工程とを備えること
を特徴とする画像処理方法。
【手続補正２】
【補正対象書類名】特許請求の範囲
【補正対象項目名】請求項１９
【補正方法】変更
【補正の内容】
【請求項１９】
平坦な所定の対象物を撮像して又は光学的に読み取って得られた画像データを処理するコンピュータ実行可能な画像処理プログラムであって、
上記コンピュータを、
上記対象物を当該対象物の大きさ以下の大きさからなる分割領域に分割して撮像して又は光学的に読み取って得られた複数の分割画像データのそれぞれに写りこんだ位置合わせマークを検出する手段、及び、
上記複数の分割画像データのそれぞれから所定の領域を切り出し、切り出した複数の画像データを検出した位置合わせマークに基づいて整形し、整形して得られた複数の分割整形画像データを合成して１つの全体画像データを生成する手段として機能させること
を特徴とする画像処理プログラム。
【手続補正３】
【補正対象書類名】明細書
【補正対象項目名】００３２
【補正方法】変更
【補正の内容】
【００３２】
また、上述した目的を達成する本発明にかかる画像処理方法は、平坦な所定の対象物を撮像して又は光学的に読み取って得られた画像データを処理する画像処理方法であって、所定の画像処理装置が、上記対象物を当該対象物の大きさ以下の大きさからなる分割領域に分割して撮像して又は光学的に読み取って得られた複数の分割画像データのそれぞれに写りこんだ位置合わせマークを検出する工程と、上記画像処理装置が、上記複数の分割画像データのそれぞれから所定の領域を切り出し、切り出した複数の画像データを検出した位置合わせマークに基づいて整形し、整形して得られた複数の分割整形画像データを合成して１つの全体画像データを生成する工程とを備えることを特徴としている。
【手続補正４】
【補正対象書類名】明細書
【補正対象項目名】００３４
【補正方法】変更
【補正の内容】
【００３４】
さらに、上述した目的を達成する本発明にかかる画像処理プログラムは、平坦な所定の対象物を撮像して又は光学的に読み取って得られた画像データを処理するコンピュータ実行可能な画像処理プログラムであって、上記コンピュータを、上記対象物を当該対象物の大きさ以下の大きさからなる分割領域に分割して撮像して又は光学的に読み取って得られた複数の分割画像データのそれぞれに写りこんだ位置合わせマークを検出する手段、及び、上記複数の分割画像データのそれぞれから所定の領域を切り出し、切り出した複数の画像データを検出した位置合わせマークに基づいて整形し、整形して得られた複数の分割整形画像データを合成して１つの全体画像データを生成する手段として機能させることを特徴としている。
【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
プラントの操作端を操作することで、プラントを運用するプロセス制御システムにおいて、
上記プラントの状態を示す状態情報の入力を受け付ける入力処理、および、別途決定された上記操作端の操作内容を上記操作端に指示する出力処理を行う複数のプロセス入出力装置と、
上記複数のプロセス入出力装置とバスで接続され、該複数のプロセス入出力装置の受け付けた上記状態情報に基づいて、上記操作内容を決定するプロセス制御装置と、
上記複数のプロセス入出力装置及び上記プロセス制御装置を保守管理する保守管理装置と、
を備え、
上記プロセス入出力装置は、
前記状態情報が予め定められた条件を満たすと保護駆動信号を生成する保護駆動条件処理プログラムと、該保護駆動条件処理プログラムの実行で該保護駆動信号が生成されると、上記プロセス制御装置で決定された上記操作内容に関わらず、該保護駆動信号に応じたロック信号を上記操作端に出力する操作端駆動プログラムとを含む入出力プログラムであって、上記入力処理および上記出力処理の内容を定義した入出力プログラムの格納された不揮発性書換可能型メモリ素子と、
上記入出力プログラムを実行する演算ユニットと、
を含み、
上記保守管理装置は、上記不揮発性書換可能型メモリ素子の記憶内容の書換を受け付け、上記プロセス制御装置及び上記バスを介して、上記プロセス入出力装置に上記書換の内容を送り、
上記プロセス入力装置の上記演算ユニットは、上記保守管理装置からの上記書換の内容を受け付けて、該書換の内容を上記不揮発性書換可能型メモリ素子に格納する書換処理を実行する、
ことを特徴とするプロセス制御システム。
【請求項２】
上記不揮発性書換可能型メモリ素子には、さらに、それまでに上記書換処理が行われた回数を示す書換回数値が記憶されており、
上記保守監視装置は、上記書換を行う際には該書換回数値を確認して、該確認の結果その時の書換回数値が別途定められた制限回数以下であった場合のみ上記書換の内容を上記プロセス入出力装置に送るとともに、当該書換回数値を更新するものであること、
を特徴とする請求項１記載のプロセス制御システム。
【請求項３】
上記プロセス入出力装置は、上記書換処理が行われている間、上記操作端に対してあらかじめ定められた操作内容を出力するものであること、
を特徴とする請求項１及び２のいずれか一項に記載のプロセス制御システム。
【請求項４】
上記プロセス入出力装置は、上記操作端毎に別途定められた制御許可条件を備え、上記プロセス制御装置から入力された操作内容が上記制御許可条件を満たす場合のみ当該操作内容を上記操作端に出力するものであること、
を特徴とする請求項１から３のいずれか一項に記載のプロセス制御システム。
【手続補正２】
【補正対象書類名】明細書
【補正対象項目名】００１０
【補正方法】変更
【補正の内容】
【００１０】
本発明の第１の態様としては、プラントの操作端を操作することで、プラントを運用するプロセス制御システムにおいて、
上記プラントの状態を示す状態情報の入力を受け付ける入力処理、および、別途決定された上記操作端の操作内容を上記操作端に指示する出力処理を行う複数のプロセス入出力装置と、
上記複数のプロセス入出力装置とバスで接続され、該複数のプロセス入出力装置の受け付けた上記状態情報に基づいて、上記操作内容を決定するプロセス制御装置と、
上記複数のプロセス入出力装置及び上記プロセス制御装置を保守管理する保守管理装置と、
を備え、
上記プロセス入出力装置は、
前記状態情報が予め定められた条件を満たすと保護駆動信号を生成する保護駆動条件処理プログラムと、該保護駆動条件処理プログラムの実行で該保護駆動信号が生成されると、上記プロセス制御装置で決定された上記操作内容に関わらず、該保護駆動信号に応じたロック信号を上記操作端に出力する操作端駆動プログラムとを含む入出力プログラムであって、上記入力処理および上記出力処理の内容を定義した入出力プログラムの格納された不揮発性書換可能型メモリ素子と、
上記入出力プログラムを実行する演算ユニットと、
を含み、
上記保守管理装置は、上記不揮発性書換可能型メモリ素子の記憶内容の書換を受け付け、上記プロセス制御装置及び上記バスを介して、上記プロセス入出力装置に上記書換の内容を送り、
上記プロセス入力装置の上記演算ユニットは、上記保守管理装置からの上記書換の内容を受け付けて、該書換の内容を上記不揮発性書換可能型メモリ素子に格納する書換処理を実行する、
ことを特徴とするプロセス制御システムが提供される。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
上記不揮発性書換可能型メモリ素子には、さらに、それまでに上記書換処理が行われた回数を示す書換回数値が記憶されており、上記保守監視装置は、前記演算ユニットにより上記不揮発性書換可能型メモリ素子の記憶内容の書換が許可され、且つ上記書換を行う際には該書換回数値を確認して、該確認の結果その時の書換回数値が別途定められた制限回数以下であった場合のみ上記書換の内容を上記プロセス入出力装置に送るとともに、当該書換回数値を更新するものでであってもよい。
【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
複数の装置を含んで構成され、各装置においてメッセージ文字列を入力するとともに、他の装置に送信し、該他の装置において前記メッセージ文字列を受信するとともに、出力するチャットシステムにおいて、
あるメッセージ文字列の入力タイミングから別のメッセージ文字列の入力タイミングまでの経過時間に応じて感情レベルを決定する手段と、
前記他の装置において、決定される前記感情レベルに応じた画像又は音のうち少なくとも一方を出力する手段と、
を含むことを特徴とするチャットシステム。
【請求項２】
第１装置及び第２装置を含むチャットシステムにおいて、
前記第１装置は、
メッセージ文字列を入力する手段と、
感情の種類を示す感情種類データを入力する手段と、
入力される前記メッセージ文字列を前記第２装置に送信する手段と、
入力される前記感情種類データを前記第２装置に送信する手段と、を含み、
前記第２装置は、
前記第１装置から前記メッセージ文字列を受信する手段と、
前記第１装置から前記感情種類データを受信する手段と、
受信される前記メッセージ文字列を出力する手段と、
前記第１装置における前記メッセージ文字列の入力タイミングに応じて決定される感情レベルを取得する手段と、
受信される前記感情種類データ及び取得される前記感情レベルに応じた画像又は音のうち少なくとも一方を出力する手段と、を含み、
前記第２装置は、
メッセージ文字列を入力する手段と、
入力されるメッセージ文字列を前記第１装置に送信する手段と、をさらに含み、
前記第１装置は、
前記第２装置から前記メッセージ文字列を受信する手段と、
受信される前記メッセージ文字列を出力する手段と、をさらに含み、
前記感情レベルは、前記第２装置におけるメッセージ文字列の入力タイミングと、前記第１装置におけるメッセージ文字列の入力タイミングと、の差に応じて決定される、
ことを特徴とするチャットシステム。
【請求項３】
請求項２に記載のチャットシステムにおいて、
前記感情レベルは、前記メッセージ文字列の文字量にさらに応じて決定される、
ことを特徴とするチャットシステム。
【請求項４】
チャットシステムに用いられる通信装置であって、
メッセージ文字列を受信する手段と、
感情種類データを受信する手段と、
受信される前記メッセージ文字列を出力する手段と、
前記メッセージ文字列の送信元の装置における、該メッセージ文字列の入力タイミングに応じて感情レベルを決定する手段と、
受信される前記感情種類データ及び決定される前記感情レベルに応じた画像又は音のうち少なくとも一方を出力する手段と、
を含むことを特徴とする通信装置。
【請求項５】
チャットシステムに用いられる通信装置の制御方法であって、
メッセージ文字列を受信するステップと、
感情種類データを受信するステップと、
受信される前記メッセージ文字列を出力するステップと、
前記メッセージ文字列の送信元の装置における、該メッセージ文字列の入力タイミングに応じて感情レベルを決定するステップと、
受信される前記感情種類データ及び決定される前記感情レベルに応じた画像又は音のうち少なくとも一方を出力するステップと、
を含むことを特徴とする通信装置の制御方法。
【請求項６】
メッセージ文字列を受信する手段、
感情種類データを受信する手段、
受信される前記メッセージ文字列を出力する手段、
前記メッセージ文字列の送信元の装置における、該メッセージ文字列の入力タイミングに応じて感情レベルを決定する手段、及び
受信される前記感情種類データ及び決定される前記感情レベルに応じた画像又は音のうち少なくとも一方を出力する手段
としてコンピュータを機能させるためのプログラム。
【手続補正書】
【提出日】平成18年11月2日(2006.11.2)
【手続補正１】
【補正対象書類名】明細書
【補正対象項目名】０００３
【補正方法】変更
【補正の内容】
【０００３】
ところが、上述したように色補正用ダイクロイックフィルター５０７ａ，５０７ｂ，５０７ｃは液晶表示パネル５０３ａ，５０３ｂ，５０３ｃと平行に配置されて、ダイクロイックフィルター５０７ａ，５０７ｂ，５０７ｃは光軸ＯＰに対して垂直になっている。この場合スクリーン５０６上の画面の左右に色むらが発生しており、画面上での色むらの均一性が要求されている。これは光変調素子である液晶表示パネルの各点に対応するクロスプリズム５０４の角度依存性とクロスプリズム５０４の光束の広がりの左右の非対称性のために、画面周辺では画面中心の光学膜設計値と色が変わってしまうからである。
【手続補正２】
【補正対象書類名】明細書
【補正対象項目名】０００６
【補正方法】変更
【補正の内容】
【０００６】
この時に、上辺の光束部分５１１の場合には、光学薄膜５０８における図２４（Ａ）における波長依存性は、実線のラインＬ１の状態から破線のラインＬ２の状態に移動し、下辺の光束部分５１０の場合には、実線のラインＬ１の状態から二点鎖線Ｌ３の状態に移動する。このようにして、赤色光（Ｒ）の反射は、光学薄膜５０８に対して、角度依存性を有していることから、図２３のようにして、スクリーン５０６に対してカラー像を投影すると、カラー像には画面の左右に対称に色むらが発生してしまう。そこで角度依存性を小さくして色むらを防ぐために、図２４（Ｂ）の赤色光（Ｒ）の光束光を絞らないことで、角度θ１０と角度θ１１の差を小さくすることが考えられるが、このようにすると、投写レンズの口径と合成プリズム（クロスプリズム）の大きさが共に大きくなり、コスト的に不利になり、また角度依存性を含めて色帯域を制限してしまうと、光変調した光量の低下を起こし、画面輝度が低下してしまう。
【手続補正３】
【補正対象書類名】明細書
【補正対象項目名】００３３
【補正方法】変更
【補正の内容】
【００３３】
図７と図９において、赤色光Ｒに関して、λＲｔは、平行配列されている色補正用ダイクロイックフィルター１２０の半値波長（０°入射時）を示し、λ２ａとλ２ｄは、ダイクロイックプリズム４１の光学薄膜２ａ，２ｄの設計半値波長（４５°入射時）を示している。そして、Δλ２ａとΔλ２ｄはほぼ同じ値であり、これらのΔλ２ａ，Δλ２ｄは、光学薄膜２ａ，２ｄの部分の角度依存性（１°に対する半値波長の変化量）を示している。θ２ａとθ２ｄは、液晶表示パネル５３の左右の端部を通りダイクロイックプリズムの光学薄膜２ａ，２ｄに入射する光線の主光線の角度を示している。Δθ２ａとΔθ２ｄはほぼ同じ値であり、Δθ２ａ，Δθ２ｄは、液晶表示パネル５３の左右の端部を通り光学薄膜２ａ，２ｄに入射する光線の広がり角度である。尚、図８と図９では、赤色光Ｒの反射光を生じるが、図示の簡略化のために光路を９０°曲げずに表示している。このような定義を行った場合に、図７と図９の赤色光Ｒに関して光学薄膜２ａ，２ｄの特性においては、
λＲｔ≧λ２ａ＋Δλ２ａ×（θ２ａ＋Δθ２ａ）  かつ
λＲｔ≧λ２ｄ
となるようにλＲｔ，λ２ａ，λ２ｄの値を選択する。図７と図９はこのような値を選択した場合の例を示しており、図７の光学薄膜２ａの反射特性Ａ２と反射特性Ａ１が、透過特性Ａより長波長側にずれないようにし、かつ図９の光学薄膜２ｄの反射特性Ａ１，Ａ２は透過特性Ａより長波長側にずれないようにしている。これにより、図８と図１０中の色補正用ダイクロイックフィルター１２０（Ａ）で決定されるλＲｔのみにより赤色が決定される。図７と図９にて赤色の帯域は各色フィルターの最も長波長側にある要素に図８と図１０において決定され、それより高い波長域が画面に表示されることになる。図７と図９ともども最も長波長側にある要素はλＲｔを決定する。
【手続補正４】
【補正対象書類名】明細書
【補正対象項目名】００３６
【補正方法】変更
【補正の内容】
【００３６】
図１１の場合においては、透過特性Ａ２，Ａ１が、透過特性Ａの中に入らないように設定している。図１３の場合には、透過特性Ａ２，Ａ１はすでに透過特性Ａの中に入っていない。この場合には、λＧｌｔを、平行配列された色補正用ダイクロイックフィルター１３０の長波長側半値波長（０°入射時）とすると、
λＧｌｔ≦λ２ａ  かつ
λＧｌｔ≦λ２ｄ−Δλ２ｄ×（θ２ｄ＋Δθ２ｄ）
となるようにλＧｌｔ等を選択する。
【手続補正書】
【提出日】平成19年6月2日(2007.6.2)
【手続補正１】
【補正対象書類名】明細書
【補正対象項目名】０００３
【補正方法】変更
【補正の内容】
【０００３】
この交差点ノンストップ走行支援システムにおいては、交差点の手前一定距離の地点から目的地点即ち次に通過すべき交差点までの間車両を車両ごとの推奨所要時間に対応する推奨走行速度で走行させること、したがって実走行速度と前記推奨走行速度との間に誤差が出た場合には推奨所要時間どおりの目的地点到着を達成するための実走行速度の適正な修正が可能であることが重要となる。しかし従来の車載表示装置を用いての推奨走行速度と実走行速度を比較表示する方法では目的地点への推奨所要時間での到達のための推奨走行速度の修正方法が不明確である。
【手続補正２】
【補正対象書類名】明細書
【補正対象項目名】００１０
【補正方法】変更
【補正の内容】
【００１０】
このように表示することによって起点から現時点までの実走行距離が目標どおりであるか否か、否の場合は目標値に対してどれだけ過不足しているか、今後どのように修正を行っていけば推奨所要時間あるいは予測旅行時間で目的地点に到着できるか、を車両ドライバーに正確に知らしめることができ、交差点ノンストップ走行支援あるいはカーナビゲーションシステムにおける推奨所要時間あるいは予測旅行時間等旅行時間情報の有効活用が可能となる。
【手続補正３】
【補正対象書類名】明細書
【補正対象項目名】００２２
【補正方法】変更
【補正の内容】
【００２２】
ここで前記起点通過信号とは、起点即ち自車が次に通過すべき交差点をノンストップで走行するための推奨所要時間 topt 、推奨走行速度 vopt 等 、あるいは推奨所要時間 topt 、推奨走行速度 vopt 等を車側で演算するに必要な各種情報を路車間通信によって路側から獲得する地点、を通過したとき交差点ノンストップ走行支援システム車側装置から出力される信号である。
【手続補正４】
【補正対象書類名】図面
【補正対象項目名】図１
【補正方法】変更
【補正の内容】
【図１】
2006338420.tif 000001
【手続補正５】
【補正対象書類名】図面
【補正対象項目名】図４
【補正方法】変更
【補正の内容】
【図４】
2006338420.tif 000002
【手続補正書】
【提出日】平成19年2月28日(2007.2.28)
【手続補正１】
【補正対象書類名】明細書
【補正対象項目名】特許請求の範囲
【補正方法】変更
【補正の内容】
【特許請求の範囲】
【請求項１】  放射線を画像データに変換するためのフラットパネルディテクタと、
前記フラットパネルディテクタを、時系列に複数の撮像を行う動画撮影の状態、
静止画撮影の状態、のいずれかの状態として制御する制御手段とを備え、
前記制御手段は、動画撮影の状態で撮像された画像に基づいて、静止画撮影の状態に、フラットパネルディテクタの駆動を切り換える制御を行うことを特徴とする放射線撮影装置。
【請求項２】  受光した放射線の積分値の値が、所定の値になったときに放射停止信号を発するフォトタイマを備え、
前記静止画撮影の状態に対し、前記動画撮影の状態の場合に、前記放射停止信号を発する積分値の値を小さくすることを特徴とする請求項１に記載の放射線撮影装置。
【請求項３】  前記動画撮影の状態で人体胸部の呼吸状態を撮像している場合において、前記人体胸部の肺が最大吸気状態となる場合に、前記静止画撮影の状態に、フラットパネルディテクタの駆動を切り換える制御を行うことを特徴とする請求項１に記載の放射線撮影装置。
【請求項４】  前記フォトタイマの放射停止信号にもとづいて放射を停止する放射線発生装置を備えることを特徴とする請求項２に記載の放射線撮影装置。
【請求項５】  前記動画撮影の状態と、前記静止画撮影の状態とで、前記フラットパネルディテクタによる空間サンプリングピッチを異ならせることを特徴とする請求項１に記載の放射線撮影装置。
【請求項６】  前記動画撮影の状態より前記静止画撮影の状態の方が、前記空間サンプリングピッチが小さいことを特徴とする請求項５に記載の放射線撮影装置。
【手続補正書】
【提出日】平成19年4月16日(2007.4.16)
【手続補正１】
【補正対象書類名】明細書
【補正対象項目名】特許請求の範囲
【補正方法】変更
【補正の内容】
【特許請求の範囲】
【請求項１】  駆動信号に従って機械的振動を励起させるための第１素子および機械的振動が発生したことを表わす電気信号を出力する第２素子を２つの腕部にそれぞれ有する音叉型振動子と、
所定の周波数のパルス信号を生成するパルス信号生成手段と、
該パルス信号生成手段により生成されたパルス信号の周波数を有する前記駆動信号を前記第１素子に供給する駆動手段と、
前記パルス信号生成手段により生成されたパルス信号の位相を所定の位相だけ遅延させる遅延手段と、
前記第２素子からの前記電気信号を検出する検出手段と、
前記遅延手段からのパルス信号と前記検出手段からの前記電気信号との位相差を検出する位相差検出手段と、
該位相差検出手段により検出された位相差に基づき前記パルス信号生成手段により生成されるパルス信号の周波数を決定する決定手段と
を備えたことを特徴とする音叉型振動子駆動装置。
【請求項２】  請求項１において、前記所定の位相は、前記第１素子に供給される駆動信号の周波数の（１／４）周期または（３／４）周期に等しいことを特徴とする音叉型振動子駆動装置。
【請求項３】  請求項１または２において、前記パルス信号生成手段により生成されたパルス信号の周波数を記憶するための記憶手段を有することを特徴とする音叉型振動子駆動装置。
【請求項４】  請求項３において、前記パルス信号生成手段は、電位測定開始信号に応答して、前記記憶手段に記憶されている周波数を有するパルス信号を生成することを特徴とする音叉型振動子駆動装置。
【請求項５】  請求項１ないし４のいずれか１項に記載の音叉型振動子駆動装置を有することを特徴とする表面電位測定装置。
【請求項６】  請求項５に記載の表面電位測定装置と、電子写真方式で画像が形成される像坦持体とを有し、前記表面電位測定装置により前記像坦持体の表面電位を測定することを特徴とする画像形成装置。
【請求項７】  請求項６において、前記画像形成装置の電源投入に応答して電位測定開始信号を出力する手段を有することを特徴とする画像形成装置。
【手続補正２】
【補正対象書類名】明細書
【補正対象項目名】００１３
【補正方法】変更
【補正の内容】
【００１３】
【課題を解決するための手段】
請求項１に係る発明は、駆動信号に従って機械的振動を励起させるための第１素子および機械的振動が発生したことを表わす電気信号を出力する第２素子を２つの腕部にそれぞれ有する音叉型振動子と、所定の周波数のパルス信号を生成するパルス信号生成手段と、該パルス信号生成手段により生成されたパルス信号の周波数を有する前記駆動信号を前記第１素子に供給する駆動手段と、前記パルス信号生成手段により生成されたパルス信号の位相を所定の位相だけ遅延させる遅延手段と、前記第２素子からの前記電気信号を検出する検出手段と、前記遅延手段からのパルス信号と前記検出手段からの前記電気信号との位相差を検出する位相差検出手段と、該位相差検出手段により検出された位相差に基づき前記パルス信号生成手段により生成されるパルス信号の周波数を決定する決定手段とを備えたことを特徴とする。
【手続補正３】
【補正対象書類名】明細書
【補正対象項目名】００１８
【補正方法】変更
【補正の内容】
【００１８】
請求項６に係る発明は、請求項５に記載の表面電位測定装置と、電子写真方式で画像が形成される像坦持体とを有し、前記表面電位測定装置により前記像坦持体の表面電位を測定することを特徴とする。
【手続補正４】
【補正対象書類名】明細書
【補正対象項目名】００１９
【補正方法】変更
【補正の内容】
【００１９】
請求項７に係る発明は、請求項６に係る発明において、前記画像形成装置の電源投入に応答して電位測定開始信号を出力する手段を有することを特徴とする。
【手続補正書】
【提出日】平成19年8月29日(2007.8.29)
【手続補正１】
【補正対象書類名】明細書
【補正対象項目名】特許請求の範囲
【補正方法】変更
【補正の内容】
【特許請求の範囲】
【請求項１】  表示状態が変化可能な可変表示手段を有し、可変表示手段における表示態様が特定表示態様となったときに遊技者にとって有利な特定遊技状態に制御可能となる遊技機であって、
所定の数値更新範囲内で数値が循環して更新され、初期値が設定されると該初期値から数値が更新される表示態様判定用カウンタと、
所定の条件が成立すると前記表示態様判定用カウンタの数値を抽出し、抽出値とあらかじめ定められた判定値とを比較してそれらが一致すると前記可変表示手段における表示態様を前記特定表示態様とすることに決定する遊技制御手段と、
前記表示態様判定用カウンタの数値の更新周期とは異なる周期で、あらかじめ定められた数値更新範囲内で数値が循環して更新される初期値決定用カウンタと、
前記表示態様判定用カウンタの数値が所定値になったときに前記初期値決定用カウンタの数値を抽出するとともに、前記所定値と抽出した前記初期値決定用カウンタの数値とを含む複数の数値を用いて所定の演算を行い、該演算により得られた演算値を前記表示態様判定用カウンタに初期値として設定する初期値変更手段と
を備えたことを特徴とする遊技機。
【請求項２】  表示態様判定用カウンタの数値更新範囲と初期値決定用カウンタの数値更新範囲とは等しい
請求項１記載の遊技機。
【請求項３】  初期値決定用カウンタの更新処理は、定期的に実行される定期処理で実行されるとともに、前記定期処理の終了後次の定期処理が開始されるまでの期間で繰り返し実行される
請求項１または請求項２記載の遊技機。
【請求項４】  定期処理で実行される初期値決定用カウンタの更新処理と、前記定期処理の終了後次の定期処理が開始されるまでの期間で繰り返し実行される初期値決定用カウンタの更新処理とを共通サブルーチンとした
請求項３記載の遊技機。
【請求項５】  定期処理はタイマ割込により起動され、
定期処理の終了後次の定期処理が開始されるまでの期間で繰り返し実行される初期値決定用カウンタの更新処理の各々の更新処理中はタイマ割込を禁止する
請求項３または請求項４記載の遊技機。
【請求項６】  演算値が数値更新範囲から外れた場合に、演算値を前記数値更新範囲内の数値に補正する補正手段を備えた
請求項１から請求項５のうちのいずれかに記載の遊技機。
【請求項７】  初期値変更手段は、前記表示態様判定用カウンタの数値に初期値決定用カウンタの値を加算して演算値とする
請求項１から請求項６のうちのいずれかに記載の遊技機。
【請求項８】  初期値変更手段は、前記表示態様判定用カウンタの数値から初期値決定用カウンタの数値を減算して演算値とする
請求項１から請求項６のうちのいずれかに記載の遊技機。
【請求項９】  初期値変更手段はマイクロコンピュータで実現され、
初期値決定用カウンタは、ＲＡＭに形成された２バイトカウンタであり、
前記マイクロコンピュータは、更新後の数値を前記初期値決定用カウンタに１命令で設定する
請求項１から請求項８のうちのいずれかに記載の遊技機。
【手続補正２】
【補正対象書類名】明細書
【補正対象項目名】００１３
【補正方法】変更
【補正の内容】
【００１３】
【課題を解決するための手段】
表示状態が変化可能な可変表示手段（例えば可変表示装置９）を有し、可変表示手段における表示態様が特定表示態様（例えば左中右の停止図柄が一致）となったときに遊技者にとって有利な特定遊技状態（例えば大当り遊技状態）に制御可能となる遊技機であって、所定の数値更新範囲（例えば０〜６３０）内で循環して（例えば６３０を越えると０に戻る）数値が更新され、初期値が設定されると該初期値から数値が更新される表示態様判定用カウンタ（例えばランダム１生成用カウンタ）と、所定の条件（例えば始動入賞口１４への入賞）が成立すると表示態様判定用カウンタの数値を抽出し、抽出値とあらかじめ定められた判定値（例えば大当り判定値）とを比較してそれらが一致すると可変表示手段における表示態様を特定表示態様とすることに決定する遊技制御手段（例えばＣＰＵ５６等を含む遊技制御手段、特にステップＳ５５〜Ｓ５８を実行する部分）と、表示態様判定用カウンタの数値の更新周期とは異なる周期であらかじめ定められた数値更新範囲（例えば０〜６３０）内で循環して数値が更新される初期値決定用カウンタ（例えばランダム７生成用カウンタ）と、表示態様判定用カウンタの数値が所定値（例えば保存されている初期値）になったときに初期値決定用カウンタの数値を抽出するとともに、上記の所定値と抽出した初期値決定用カウンタの数値とを含む複数の数値を用いて所定の演算（例えば加算または減算）を行い、演算により得られた演算値を表示態様判定用カウンタに初期値として設定する初期値変更手段（例えば遊技制御手段のうちステップＳ１２４〜Ｓ１３０を実行する部分）とを備えたことを特徴とする。
【手続補正書】
【提出日】平成19年5月7日(2007.5.7)
【手続補正１】
【補正対象書類名】明細書
【補正対象項目名】００３８
【補正方法】変更
【補正の内容】
【００３８】
上記第１２の局面では、結晶基板上に、光源からの光を分岐する分岐器と、分岐されたそれぞれの光を導波する光導波路と、これらを再度合波する合波器を形成することにより、マッハツェンダー干渉計構成の光強度変調器と、光角度変調器とを、高精度にインテグレートし、光ホモダイン検波の安定性を確保して、高効率な光ホモダイン検波を行う。これにより、雑音特性に優れた高効率の安定した角度変調器を実現できる。
【手続補正２】
【補正対象書類名】明細書
【補正対象項目名】０１２２
【補正方法】変更
【補正の内容】
【０１２２】
図５において、第２の光変調部８００２は、光分岐部８０２と光合波部８０６とを結ぶ直線上にあって、本基板上のほぼ中央に配置される。また、第１および第３の光変調部８００１および８００３は、光分岐部８０２と光合波部８０６とを結ぶ直線に対して線対称の位置に配置される。このように配置されることによって、第１の光信号を形成するための２つの光位相変調信号の伝搬時間は等しくなる。このように配置される理由を、以下に説明する。
【手続補正書】
【提出日】平成18年10月31日(2006.10.31)
【手続補正１】
【補正対象書類名】明細書
【補正対象項目名】特許請求の範囲
【補正方法】変更
【補正の内容】
【特許請求の範囲】
【請求項１】  被写体の像を撮像するための撮像装置であって、
前記撮像装置の外装部材に設けられ、外界と前記撮像装置の内部との間で画像情報を通過させるための光透過部と、
前記光透過部の近傍に設けられ、前記光透過部よりも高い熱伝導性を有する材質を含む高熱伝導部と、
前記外装部材に設けられ、前記撮像装置の内部の気体を前記高熱伝導部と接触させる通気孔と
を備える撮像装置。
【請求項２】  前記高熱伝導部は、アルミニウム、亜鉛、および銅の少なくとも１つを含むことを特徴とする請求項１に記載の撮像装置。
【請求項３】  前記撮像装置の外装部材は、プラスチック材料を含むことを特徴とする請求項１または２に記載の撮像装置。
【請求項４】  前記光透過部は、
前記被写体を結像するための光学系、
前記被写体を結像するためのファインダ、
前記被写体の像を表示するための表示部、
および前記撮像装置の機能に関連した情報を表示するための液晶パネル部
の少なくとも１つを含むことを特徴とする請求項１から３のいずれかに記載の撮像装置。
【請求項５】  前記光透過部は、間隔をおいて配置された少なくとも２つの光透過材を含むことを特徴とする請求項１から４のいずれかに記載の撮像装置。
【請求項６】  前記光透過部は、表面に撥水性、吸水性、及び分解反応触媒作用の少なくとも１つの機能を有する機能性膜を備えたことを特徴とする請求項１から５のいずれかに記載の撮像装置。
【請求項７】  被写体の画像を撮像するためのデジタルカメラであって、
前記被写体を結像する光学系と、
前記被写体を結像するファインダ部と、
前記光学系および前記ファインダ部を内包する、プラスチック材料を含む外装部材と、
前記光学系および前記ファインダ部を保護する保護ガラスと、
前記保護ガラスを前記外装部材に固定する、金属材料を含む固定部と
を備え、
前記保護ガラスと前記光学系の対向する前記保護ガラスの表面に、撥水性、吸水性、および分解反応触媒作用の少なくとも１つの機能を有する機能性膜を備えたことを特徴とするデジタルカメラ。
【手続補正書】
【提出日】平成19年8月16日(2007.8.16)
【手続補正１】
【補正対象書類名】明細書
【補正対象項目名】特許請求の範囲
【補正方法】変更
【補正の内容】
【特許請求の範囲】
【請求項１】  以下の工程を順次行うことを含む、生体高分子配列薄片の製造方法。
（１）中空繊維又は多孔質中空繊維を複数本束ねて、配列体とする工程。
（２）各繊維の中空部に、生体高分子、重合性モノマーを含む溶液を導入する工程。
（３）中空部内で重合反応を行い、中空部にゲルを保持する工程。
（４）配列体を繊維軸と交叉する方向にスライスする工程。
【手続補正書】
【提出日】平成19年7月23日(2007.7.23)
【手続補正１】
【補正対象書類名】明細書
【補正対象項目名】特許請求の範囲
【補正方法】変更
【補正の内容】
【特許請求の範囲】
【請求項１】
データ信号内における所定のビットパターンを捕捉するための機構であって、
前記データ信号を受信する入力部を有し、且つ、前記所定のビットパターンの発生時にトリガ事象を出力部に生成する、ビットパターン検出器と、
前記ビットパターン検出器の前記出力部に結合されたトリガ入力部と、前記データ信号を受信する信号入力部とを有する等価時間サンプラであって、前記トリガ事象に応答して前記データ信号のサンプルを取得することからなる、等価時間サンプラ
とを備える、機構。
【請求項２】
前記データ信号が、前記等価時間サンプラのサンプリング速度を超えるデータ速度を有する、請求項１に記載の機構。
【請求項３】
前記等価時間サンプラが、逐次サンプリングにより前記データ信号のサンプルを取得する、請求項２に記載の機構。
【請求項４】
前記等価時間サンプラが、反復的なランダムサンプリングにより前記データ信号のサンプルを取得する、請求項２に記載の機構。
【請求項５】
前記ビットパターン検出器が、前記所定のビットパターンを指定するためにプログラム可能な入力を備える、請求項２に記載の機構。
【請求項６】
前記データ信号を受信し且つ前記データ信号のデータ速度に従ってクロック入力されているシフトレジスタを、前記ビットパターン検出器が備えており、該シフトレジスタの各ビットが、対応するコンパレータに結合されており、各コンパレータが、前記プログラム可能な入力に結合されており、各コンパレータの出力が、論理ゲートに結合されており、該論理ゲートが、前記シフトレジスタの内容が前記プログラム可能な入力と一致する条件下において状態を変化させることからなる、請求項５に記載の機構。
【請求項７】
前記ビットパターン検出器の前記入力部が、前記シフトレジスタに結合されたクロック回復回路を備えており、該クロック回復回路が、前記データ信号を受信して、該データ信号からクロック信号を回復させて、該クロック信号を前記シフトレジスタに印加することからなる、請求項６に記載の機構。
【請求項８】
前記プログラム可能な入力に結合され、所定の基準に基づいて無効なビットパターンの指定を排除する、コントローラを更に備える、請求項５に記載の機構。
【請求項９】
前記所定のビットパターンが、前記データ信号内における論理状態の相対的な振幅に従って指定される、請求項５に記載の機構。
【請求項１０】
前記データ信号の第１の論理状態と前記データ信号の第２の論理状態との間の振幅における差分と、前記第１の論理状態及び前記第２の論理状態についての前記振幅の変動の総和との比率に従って、前記所定のビットパターンが指定される、請求項５に記載の機構。
【手続補正書】
【提出日】平成19年10月30日(2007.10.30)
【手続補正１】
【補正対象書類名】明細書
【補正対象項目名】特許請求の範囲
【補正方法】変更
【補正の内容】
【特許請求の範囲】
【請求項１】  船外機を載せる載置部、脚部を受ける凹部、及びステー材を止めるステー止め部を上面に備える矩形状のベースフレームと、
前記凹部に差し込む脚部を備え、ベースフレームの左右辺に立てる左右の壁枠と、
ベースフレームの前・後辺の上方に配置し且つ左右の壁枠に掛け渡す前・後のブリッジ材と、
これらのブリッジ材に各々スイング可能に取付け、先端をベースフレーム側のステー止め部に止めることのできるステー材と、からなる船外機用梱包体。
【請求項２】  前記ベースフレームは、前記左右辺と前記前・後辺とを有する枠部を形成し、該枠部の上面の４隅に前記凹部を設け、前記前・後辺の上面の中央に前記ステー止め部をなすステー止めピン及び該ステー止めピンに通した抜け止めピンを設け、前記載置部が、前記船外機側のブラケット用の位置決めピン及びボルトを有していることを特徴とする請求項１記載の船外機用梱包体。
【請求項３】  前記船外機は前記載置部にブラケットで取付けられ、
前記ブラケットは、前記船外機を取付けるプレートと、該プレートに分解自在に接合されている第１ブラケットと、第２ブラケットを備え、
前記ブリッジ材は、両端に、前記壁枠の上部の掛止ピンに着脱自在に掛止している掛止部を備えていることを特徴とする請求項１記載の船外機用梱包体。
【手続補正２】
【補正対象書類名】明細書
【補正対象項目名】０００８
【補正方法】変更
【補正の内容】
【０００８】
逆に、空になった場合にも、左右の壁枠を倒すのにボルトを緩める必要がなく、手間がかからない。
さらに、使用後の帰りの輸送時には、ベースフレーム上に左右の壁枠、ブリッジ材やブラケットなど船外機以外のものを重ねることで、畳み込み、高さを低くする。従って、未使用時にはコンパクト化が図れる。
請求項２は、ベースフレームは、左右辺と前・後辺とを有する枠部を形成し、該枠部の上面の４隅に凹部を設け、前・後辺の上面の中央にステー止め部をなすステー止めピン及び該ステー止めピンに通した抜け止めピンを設け、載置部が、船外機側のブラケット用の位置決めピン及びボルトを有している。その結果、使用後の帰りの輸送時には、ベースフレーム上に左右の壁枠、ブリッジ材やブラケットなど船外機以外のものを重ねることで、畳み込み、高さを低くする。従って、未使用時にはコンパクト化が図れる。
請求項３は、船外機は載置部にブラケットで取付けられ、ブラケットは、船外機を取付けるプレートと、該プレートに分解自在に接合されている第１ブラケットと、第２ブラケットを備え、ブリッジ材は、両端に、壁枠の上部の掛止ピンに着脱自在に掛止している掛止部を備えている。その結果、使用後の帰りの輸送時には、ベースフレーム上に左右の壁枠、ブリッジ材やブラケットなど船外機以外のものを重ねることで、畳み込み、高さを低くする。従って、未使用時にはコンパクト化が図れる。
【手続補正３】
【補正対象書類名】明細書
【補正対象項目名】００３７
【補正方法】変更
【補正の内容】
【００３７】
さらに、船外機用梱包体では、左右の壁枠を倒し、ベースフレームに左右の壁枠、ブリッジ材やブラケットなど船外機以外のものを重ねることで、畳み込み、高さを低くすることができ、帰りの輸送など未使用時にはコンパクトにすることができる。
請求項２では、ベースフレームは、左右辺と前・後辺とを有する枠部を形成し、該枠部の上面の４隅に凹部を設け、前・後辺の上面の中央にステー止め部をなすステー止めピン及び該ステー止めピンに通した抜け止めピンを設け、載置部が、船外機側のブラケット用の位置決めピン及びボルトを有しているので、使用後の帰りの輸送時には、ベースフレーム上に左右の壁枠、ブリッジ材や分解したブラケットなど船外機以外のものを重ねることで、畳み込み、高さを低くする。従って、未使用時にはコンパクト化を図ることができる。
請求項３では、船外機は載置部にブラケットで取付けられ、ブラケットは、船外機を取付けるプレートと、該プレートに分解自在に接合されている第１ブラケットと、第２ブラケットを備え、ブリッジ材は、両端に、壁枠の上部の掛止ピンに着脱自在に掛止している掛止部を備えているので、使用後の帰りの輸送時には、ベースフレーム上に左右の壁枠、ブリッジ材や分解したブラケットなど船外機以外のものを重ねることで、畳み込み、高さを低くする。従って、未使用時にはコンパクト化を図ることができる。
【手続補正書】
【提出日】平成18年12月28日(2006.12.28)
【手続補正１】
【補正対象書類名】明細書
【補正対象項目名】請求項１
【補正方法】変更
【補正の内容】
【請求項１】  車輪のロック機構を備えた二輪車駐車装置に於いて、車輪が進入したことを感知するスイッチと、このスイッチが所定時間以上動作したか否かを判定する判定機構とを備え、この判定機構が前記スイッチが所定時間以上動作したと判断した場合には前記車輪のロック機構が車輪をロックするようにして成ることを特徴とする、二輪車駐車装置の悪戯防止装置。【手続補正２】
【補正対象書類名】明細書
【補正対象項目名】請求項２
【補正方法】変更
【補正の内容】
【請求項２】  車輪のロック機構を備えた二輪車駐車装置に於いて、車輪が進入したことを感知する２つのスイッチと、この２つのスイッチが同時に動作したか否かを判定する判定機構とを備え、この判定機構が前記２つのスイッチが同時に動作したと判断した場合には前記車輪のロック機構が車輪をロックするようにして成ることを特徴とする、二輪車駐車装置の悪戯防止装置。【手続補正３】
【補正対象書類名】明細書
【補正対象項目名】０００６
【補正方法】変更
【補正の内容】
【０００６】  上記課題は、車輪のロック機構を備えた二輪車駐車装置に於いて、車輪が進入したことを感知するスイッチと、このスイッチが所定時間以上動作したか否かを判定する判定機構とを備えており、この判定機構が前記スイッチが所定時間以上動作したと判断した場合には前記車輪のロック機構が車輪をロックするようにして成ることを特徴とする、二輪車駐車装置の悪戯防止装置とすることにより達成される。
【手続補正４】
【補正対象書類名】明細書
【補正対象項目名】０００７
【補正方法】変更
【補正の内容】
【０００７】  二輪車を駐車させようとする者は、車輪のロック機構の所まで二輪車を進入させ、所定の時間そのままでいるようにする。すると車輪が進入したことを感知するスイッチが所定時間以上動作したと判定機構が判断した場合には前記車輪のロック機構が車輪をロックするように動作するため、二輪車を駐車させることが出来る。これに対して悪戯の場合では、車輪の代わりに直接手でスイッチを動作させたり、棒などを用いてスイッチを動かすようなことが行なわれるが、悪戯であるため所定時間待つようなことはない場合が普通である。従って、この時間によりスイッチ動作の真意を計ることが出来るのである。
【手続補正５】
【補正対象書類名】明細書
【補正対象項目名】０００８
【補正方法】変更
【補正の内容】
【０００８】  また上記課題は、車輪のロック機構を備えた二輪車駐車装置に於いて、車輪が進入したことを感知する２つのスイッチと、この２つのスイッチが同時に動作したか否かを判定する判定機構とを備えており、この判定機構が前記２つのスイッチが同時に動作したと判断した場合には前記車輪のロック機構が車輪をロックするようにして成ることを特徴とする、二輪車駐車装置の悪戯防止装置とすることにより達成される。なおこの２つのスイッチはお互いに離して設けておくと都合がよい。
【手続補正６】
【補正対象書類名】明細書
【補正対象項目名】０００９
【補正方法】変更
【補正の内容】
【０００９】  この発明では、２つのスイッチで車輪の進入を感知するものとしている。すなわち２つのスイッチが同時に入っていないと、前記判定機構が前記２つのスイッチが同時に動作していないと判断するために前記車輪のロック機構が車輪をロックする動作を行なわないのである。悪戯の場合には車輪の代わりに直接手でスイッチを動作させるが、２つのスイッチを同時に動作させるというような面倒な行為は行なわない場合が普通である。従って、２つのスイッチが同時に動作しているか否かで真の駐車を意図したものか悪戯かを判定することが出来るのである。なお２つのスイッチが離れて設置されていればいるほど、人の手で同時に動作させることが難しくなる。
【手続補正７】
【補正対象書類名】明細書
【補正対象項目名】００１１
【補正方法】変更
【補正の内容】
【００１１】  車輪のロック機構の所まで二輪車を進入させると、付勢機構によって二輪車は車輪を押し出す方向に力を受ける。このままでは二輪車は戻されてしまい、車輪のロックを行なうことが出来ない。従って、二輪車を駐車させようとする者は、車輪のロック機構の所まで二輪車を進入させ、所定の時間そのまま付勢機構からの反発力に対抗して力を加え続けなくてはならない。請求項１の発明の場合には所定の時間以上ロック機構の方向に車輪を押し続けなくてはならない。請求項２の場合では反発力に対抗して車輪を２つのスイッチのところまで進入させなくてはならない。そうすることによって前記判定機構がそれと判断して前記車輪のロック機構が車輪をロックする動作を行なってくれるのである。これに対して悪戯の場合では、付勢機構からの反発力に対抗してまで敢えて悪戯行為を行なわないのが普通である。
【手続補正８】
【補正対象書類名】明細書
【補正対象項目名】００１５
【補正方法】変更
【補正の内容】
【００１５】  例えば発光素子と受光素子とを車輪通路の両側に配置しておき、二輪車の進入がない時には、発光素子から発せられた光が受光素子に入るように設定しておくのである。二輪車が進入すると、前記光回路が遮断されるため、前記判定機構がそれと判断して前記車輪のロック機構が車輪をロックする動作を行なってくれるのである。
【手続補正９】
【補正対象書類名】明細書
【補正対象項目名】００３５
【補正方法】変更
【補正の内容】
【００３５】【発明の効果】  以上この発明は、車輪のロック機構を備えた二輪車駐車装置に於いて、車輪が進入したことを感知するスイッチと、このスイッチが所定時間以上動作したか否かを判定する判定機構とを備え、この判定機構が前記スイッチが所定時間以上動作したと判断した場合には前記車輪のロック機構が車輪をロックするようにして成ることを特徴とする、二輪車駐車装置の悪戯防止装置とした。またこの発明は車輪のロック機構を備えた二輪車駐車装置に於いて、車輪が進入したことを感知する２つのスイッチと、この２つのスイッチが同時に動作したか否かを判定する判定機構とを備え、この判定機構が前記２つのスイッチが同時に動作したと判断した場合には前記車輪のロック機構が車輪をロックするようにして成ることを特徴とする、二輪車駐車装置の悪戯防止装置とした。
【手続補正書】
【提出日】平成19年7月18日(2007.7.18)
【手続補正１】
【補正対象書類名】明細書
【補正対象項目名】特許請求の範囲
【補正方法】変更
【補正の内容】
【特許請求の範囲】
【請求項１】  光束分割手段の略中心を通る仮想の照明光軸と略直交する仮想面内に複数の光源像を形成するように、光源からの光束が前記光束分割手段によって複数の部分光束に分割され、この複数の部分光束について、それぞれの偏光方向が偏光変換手段にて略同一方向に揃えられると共に、重畳光学系にて所定の被照明領域上に重畳される照明装置において、
前記偏光変換手段は、
前記複数の光源像が形成される位置またはその近傍に配置され、前記部分光束を透過光と反射光に分離することにより偏光方向が異なる２つの偏光光束に分離する偏光分離膜と、前記反射光を前記透過光の進行方向と略同じ方向に向けて反射する反射膜と、前記透過光及び前記反射光の内の一方を他方の偏光光束の偏光方向に合せる手段と、を含む偏光変換部を、前記仮想面内において前記複数の光源像が形成される少なくとも第１の方向に沿って複数配置してなり、
前記光束分割手段は、
複数のレンズを少なくとも前記第１の方向に配置してなるレンズアレイであって、前記複数の光源像の配置間隔が前記第１の方向に広くなるように、複数の前記レンズの集光特性が設定されたことを特徴とする照明装置。
【請求項２】  請求項１において、
前記光束分割手段を形成する複数の前記レンズは、前記被照明領域の形状と略相似形をなすことを特徴とする照明装置。
【請求項３】  請求項１または請求項２において、
前記光束分割手段を形成する複数の前記レンズは、偏心レンズを含むことを特徴とする照明装置。
【請求項４】  請求項１から請求項３までのいずれかにおいて、
複数の前記部分光束により形成される前記光源像の位置に対応させて配置された複数の集光レンズからなる集光レンズアレイが前記偏光変換手段の入射側に配置されたことを特徴とする照明装置。
【請求項５】  請求項４において、
前記集光レンズアレイを形成する複数の前記集光レンズは、複数の前記部分光束の主光線が前記偏光変換手段の入射側の面に対して略垂直となるような集光特性に設定されることを特徴とする照明装置。
【請求項６】  請求項４または請求項５において、
前記集光レンズアレイを形成する複数の前記集光レンズは、偏心レンズを含むことを特徴とする照明装置。
【請求項７】  請求項１から請求項３までのいずれかにおいて、
複数の集光レンズからなる集光レンズアレイが、前記偏光変換手段と前記重畳光学系の間に配置されたことを特徴とする照明装置。
【請求項８】  請求項７において、
前記集光レンズアレイは、前記重畳光学系と一体的に形成されていることを特徴とする照明装置。
【請求項９】  請求項４から請求項６までのいずれかにおいて、
前記仮想面内における前記第１の方向と略直交する第２の方向に前記複数の部分光束を含む入射光の全体の断面寸法を狭める縮小光学系が前記光源と前記被照明領域の間に配置されたことを特徴とする照明装置。
【請求項１０】  請求項９において、
前記縮小光学系は、前記光束分割手段の入射側または射出側の一方に配置された凸レンズと、前記集光レンズアレイの入射側または射出側の一方に配置された凹レンズを含むことを特徴とする照明装置。
【請求項１１】  請求項１から請求項３までのいずれかにおいて、
前記仮想面内における前記第１の方向と略直交する第２の方向に前記複数の部分光束を含む入射光の全体の断面寸法を狭める凹レンズが前記偏光変換手段と前記被照明領域の間に配置されたことを特徴とする照明装置。
【請求項１２】  請求項１１において、
前記凹レンズは、複数のレンズを組合せた組レンズで形成されることを特徴とする照明装置。
【請求項１３】  請求項１０乃至請求項１２のいずれかにおいて、
前記凸レンズあるいは前記凹レンズは、シリンドリカル状のレンズであることを特徴とする照明装置。
【請求項１４】  請求項１から請求項１３までのいずれかにおいて、
前記光束分割手段は、複数の前記光源像を前記第１の方向及び前記仮想面内における前記第１の方向と略直交する第２の方向に略マトリクス状に形成し、かつ、前記第２の方向で隣接する複数の前記光源像を同一の前記偏光分離膜上に形成することを特徴とする照明装置。
【請求項１５】  請求項１から請求項１３までのいずれかにかかる照明装置を使用したことを特徴とするプロジェクタ。